(57)【要約】      （修正有）【課題】ブレードと皮膚との係合状態を調節することが可能な刈り込みブレードを提供する。【解決手段】剃毛カミソリブレードユニットは、ハウジング２０の前側の主ガード２２、及び後部の上面の主キャップを有するハウジング２０と、主ガード２２と主キャップとの間の、１枚以上の主剃毛ブレードと、後部の上面から端面まで下向きに延びる後部外面を含む後部壁５０６と、後部壁に取り付けられ、後部外面の仮想の延長部の内側の端面を超えて少なくとも部分的に延びる刈り込み刃先を有する刈り込みブレード５０４とを含み、後部外面は、刈り込みブレードのための第２のキャップを画定する。後部は間隔を空けたガード部分を含む刈り込みガードを含むことができる。刈り込みブレード、刈り込みガード５２８、及び刈り込みキャップは、ハウジングの残部に取り付けられる集合体として供給できる。集合体は、ブレードが溶接された薄板金の支持体を備えることができる。【選択図】図３
2011104392.tif 000002
【特許請求の範囲】
【請求項１】
前面に主ガードを有し、後部の上面に主キャップを有し、前記主ガードと前記主キャップとの間に１枚以上の主剃毛ブレードを有し、後部の前記上面から端面まで下向きに延びる後部外面を含む後部壁を有するハウジングと、
前記後部壁に取り付けられ、前記後部外面の仮想の延長部の内側で前記端面を少なくとも部分的に超えて延びる刈り込み刃先を有する刈り込みブレードであって、前記後部外面が、前記刈り込みブレードのための刈り込みキャップを画定するような刈り込みブレードと、
を備えた、剃毛カミソリブレードユニット。
【請求項２】
前面に主ガードを有し、後部の上面に主キャップを有し、前記主ガードと前記主キャップとの間に１枚以上の主剃毛ブレードを有し、後部に後部壁を有するハウジングと、
前記ハウジングの後部に取り付けられ、刈り込み刃先を有する刈り込みブレードと、
間隔を空けたガード部分を含む、前記ハウジングの前記後部にある刈り込み櫛形ガードと、
を備えた、剃毛カミソリブレードユニット。
【請求項３】
前面に主ガードを有し、後部の上面に主キャップを有し、前記主ガードと前記主キャップとの間に１枚以上の主剃毛ブレードを有するハウジングと、
前記ハウジングの後部に取り付けられた刈り込み集合体であって、前記集合体が、刈り込み刃先を有する刈り込みブレードと、刈り込みブレードの長さ及び刈り込みブレードの角度を画定するよう前記刈り込み刃先に対して予め定められた位置にある刈り込みガードとを有するような集合体と、
を備えた、剃毛カミソリブレードユニット。
【請求項４】
切断されて成形された薄板金から作製したブレード支持体と、
前記ブレード支持体に溶接したブレードと、
を備え、
前記ブレード支持体が、前記ブレードのためのガード又は前記ブレードのためのキャップを画定する、毛切断要素。
【請求項５】
前記ハウジングの前記後部において刈り込みガードを更に備え、前記刈り込みガードが、前記後部外面の前記仮想の延長部の内側に位置する、請求項１に記載のユニット。
【請求項６】
前記ハウジングが底部を有し、前記刈り込みガードが、前記刈り込みキャップから前記刈り込みガードまで延びる仮想面の後方の領域から、前記ハウジングの底部まで延びる屑除去流通路を含む、請求項５に記載のユニット。
【請求項７】
前記刈り込みガードと前記刈り込み刃先との間に１以上の皮膚保護構造体を更に備えた、請求項１又は３に記載のユニット。
【請求項８】
前記刈り込みガードと前記刈り込み刃先との間に２以上の皮膚保護構造体を更に備えた、請求項１又は３に記載のユニット。
【請求項９】
前記後部壁が、前記ハウジングと同じ材料から一体的に成形される、請求項１に記載のユニット。
【請求項１０】
前記後部壁が、前記ハウジングに取り付けられた別個の構成要素上にある、請求項１に記載のユニット。
【請求項１１】
前記ハウジングがプラスチックから作製され、また前記後部壁が金属から作製される、請求項１０に記載のユニット。
【請求項１２】
前記後部壁が内面を有し、また前記刈り込みブレードが前記内面に取り付けられる、請求項１に記載のユニット。
【請求項１３】
前記ブレードが前記内面に溶接される、請求項１２に記載のユニット。
【請求項１４】
前記刈り込みガードが、間隔を空けたガード部分を含む刈り込み櫛形ガードである、請求項３に記載のユニット。
【請求項１５】
前記刈り込みガードが、間隔を空けたガード部分を含む刈り込み櫛形ガードである、請求項５に記載のユニット。
【請求項１６】
請前記刈り込み櫛形ガードが、切断されて成形された薄板金から作製される、請求項２、１４、又は１５に記載のユニット。
【請求項１７】
前記ユニットが、前記ブレードの後方の、前記ブレードと前記ハウジングとの間の開放領域を有し、また前記ユニットが、前記開放領域から上向きに延びる屑除去溝を有する、請求項１〜３のいずれかに記載のユニット。
【請求項１８】
前記集合体が、前記刈り込みキャップをもたらす刈り込みブレード支持体を含み、前記ハウジングがプラスチックから作製され、また前記ブレード支持体が金属から作製される、請求項２に記載のユニット。
【請求項１９】
前記刈り込みブレード支持体が内面を有し、また前記刈り込みブレードが前記内面に取り付けられる、請求項１８に記載のユニット。
【請求項２０】
前記ブレードが前記内面に溶接される、請求項１９に記載のユニット。
【請求項２１】
ブレ−ド支持体が、前記ブレードのためのガード及びキャップの両方を画定する、請求項４に記載の毛切断要素。
【請求項２２】
前記ブレード支持体が内面を有し、また前記刈り込みブレードが前記内面に溶接される、請求項２１に記載の毛切断要素。
【請求項２３】
前記ガードが、間隔を空けたガード部分を含む刈り込み櫛形ガードである、請求項２２に記載の毛切断要素。
【請求項２４】
前記後部壁が整列面を有し、その面で前記刃先が整列される、請求項１２に記載のユニット。
【請求項２５】
前記ブレード支持体が整列面を有し、その面で前記刃先が整列される、請求項１９に記載のユニット。
【請求項２６】
前記ブレード支持体が整列面を有し、その面で前記刃先が整列される、請求項２２に記載の要素。
【請求項２７】
前記刈り込みキャップが、剃毛補助を付与するストリップを含む、請求項１に記載のユニット。
【請求項２８】
前記ハウジングの前記後部が、剃毛の補助を付与するストリップを含む刈り込みキャップを有する、請求項２又は３に記載のユニット。
【請求項２９】
前記主剃毛ブレードが３枚以上である、請求項１〜３のいずれかに記載のユニット。
【請求項３０】
前記主剃毛ブレードが４枚以上である、請求項１〜３のいずれかに記載のユニット。
【請求項３１】
前記主剃毛ブレードが５枚以上である、請求項１〜３のいずれかに記載のユニット。
【請求項３２】
前記主ガードと前記主キャップとの間で、それらに接する主平面上で測定される主距離が、前記刈り込みガードと前記刈り込みキャップとの間で、それらに接する刈り込み平面上で測定される距離よりも長い、請求項５又は６に記載の要素。
【請求項３３】
前記刈り込み集合体が刈り込みキャップを含み、また前記主ガードと前記主キャップとの間で、それらに接する主平面上で測定される主距離が、前記刈り込みガードと前記刈り込みキャップとの間で、それらに接する刈り込み平面上で測定される距離よりも長い、請求項３に記載のユニット。
【請求項３４】
前記ハウジングが底部を有し、前記刈り込みガードが、前記刈り込みキャップから前記刈り込みガードまで延びる仮想面の後方の領域から、前記ハウジングの前記底部まで延びる屑除去流通路を含む、請求項３３に記載のユニット。
【発明の詳細な説明】
【技術分野】
【０００１】
本発明は、剃毛カミソリ及び他の毛切断集合体に関する。
【背景技術】
【０００２】
近年、様々な数のブレードを有する剃毛カミソリが、特許文献において提案され、市販されているが、それは、例えば、米国特許第５，７８７，５８６号に記載され、この特許は、ジレット社（The Gillette Company）により、３枚ブレードマッハＩＩＩカミソリ（the three-bladed Mach III razor）として市販されるタイプのデザインについて、概ね説明している。
【発明の概要】
【発明が解決しようとする課題】
【０００３】
剃毛カミソリのブレードの数を増加すると、一般に、カミソリの剃毛効力を増大し、また皮膚上で圧迫力を良好に配分する傾向があるが、抵抗力を増大し、操作性を低減し、また例えば、もみ上げ又は鼻の近くを刈り込む能力を低減する傾向もある。米国特許第６，２７６，０６１号は、本明細書に参考として組み込まれるが、刈り込むために、３枚ブレードカミソリの後部に、角度を付けたブレード支持体上に取り付けた特別なブレードを配置することを説明している。この特許は、そのブレードがハウジング上でどのように固定されるかを説明していない。刈り込みブレードは露出しているので、潜在的に、カートリッジを取り扱う人を切る可能性がある。この特許は、ブレードと皮膚との係合を調節するための、刈り込みブレードと関連する皮膚接触面について説明していない。
【課題を解決するための手段】
【０００４】
１つの態様では、本発明は、概ね、剃毛カミソリブレードユニットを特徴とし、このユニットは、前面に主ガード、及び後部の上面に主キャップを有するハウジングと、主ガードと主キャップとの間に、１枚以上の主剃毛ブレードを有し、後部の上面から端面まで下向きに延びる後部外面を含む後部壁と、後部壁に取り付けられ、後部外面の仮想の延長部の内側で端面を超えて少なくとも部分的に延びる、刈り込み刃先を有する刈り込みブレードとを含み、後部外面が、刈り込みブレードのための第２のキャップを画定する。
【０００５】
他の態様では、本発明は、概ね、剃毛カミソリブレードユニットを特徴とし、このユニットは、ハウジングと、主ガードと、主キャップと、１枚以上の主剃毛ブレードと、ハウジングの後部の後部壁と、後部に取り付けた刈り込みブレードと、間隔を空けたガード部分を含む、後部の刈り込み櫛形ガードとを含む。
【０００６】
他の態様では、本発明は、概ね、剃毛カミソリブレードユニットを特徴とし、このユニットは、ハウジングと、主ガードと、主キャップと、１枚以上の主剃毛ブレードと、後部に取り付けた刈り込み集合体とを備える。刈り込み集合体は、刈り込み刃先を有する刈り込みブレードと、刈り込み刃先に対して予め定められた位置にある刈り込みガードとを含み、刈り込みブレードの長さ及び刈り込みブレードの角度を画定する。
【０００７】
他の態様では、本発明は、概ね、（例えば、剃毛カミソリブレードユニットに取り付けられる刈り込みブレード集合体の）毛切断要素を特徴とし、この要素は、切断されて、成形された薄板金から作製したブレード支持体と、ブレード支持体に溶接したブレードとを備え、ブレード支持体は、ブレードのためのガードとブレードのためのキャップとを画定する。
【０００８】
本発明の特定の実施形態は、次の特徴の１以上を含んでもよい。刈り込みガードは、刈り込みブレード及び刈り込みガードの後方の領域から延びる屑除去流通路を備えることができる。ブレードユニットは、刈り込みガードと前記刈り込み刃先との間に１又は２以上の皮膚保護構造体を有することができる。実施形態には、後部壁が、前記ハウジングと同じ材料から一体的に成形されることができるものがある。他の実施形態には、後部壁が、ハウジングに取り付けられる別個の構成要素上にあるものがある。ハウジングはプラスチックから作製でき、また後部壁は金属から作製できる。刈り込みブレードは、後部壁の内面に取り付けることができる。刈り込みブレードは、この内面に溶接できる。刈り込みガードは、間隔を空けたガード部分を含む刈り込み櫛形ガードであることができる。刈り込み櫛形ガードは、切断され、成形された薄板金から作製できる。ブレードユニットは、ブレードの後の、ブレードと前記ハウジングとの間に開放領域を有し、このユニットは、開放領域から上向きに延びる屑除去溝を有する。後部壁は、刈り込み刃先が整列される整列面を有することができる。第２のキャップは、剃毛を補助するストリップ、例えば、つるつるのストリップを備えることができる。
【０００９】
本発明の実施形態は、次の利点の１以上を含んでもよい。主ガードと主キャップとの間で、それらに接する平面上で測定した距離は、刈り込みガードと刈り込みキャップとの間で、それらに接する平面上で測定した距離よりも長い。刈り込みブレードの刃先は、ブレードユニットの取り扱い中にユーザの皮膚が切れるのを防止するために、ブレードユニットの後部壁に関して凹んでいる。櫛形ガードの間隔を空けた部分により、剃毛屑の除去が容易になり、もみ上げ及び他のより長い毛の刈り込みが容易になり、また正確に位置するガード面が容易にもたらされる。剃毛カミソリブレードユニットのハウジングに取り付けられる共通の集合体上に刈り込みブレード及び刈り込みガードを含むことにより、刈り込みブレードに関する刈り込みガードの正確な位置決めが容易になって、刈り込みブレードの正確な目標角度及び長さがもたらされる。
【図面の簡単な説明】
【００１０】
【図１】剃毛カミソリの斜視図。
【図２】図１のカミソリのハンドルから分離した取り換え可能カートリッジを示す斜視図。
【図３】主ブレードを取り外した、図１のカミソリのブレードユニットの斜視図。
【図４】図３のブレードユニットの刈り込み集合体の平面図。
【図５】図４の刈り込み集合体の後部立面図。
【図６】図４の刈り込み集合体の底面図。
【図７】図４の刈り込み集合体の前側立面図。
【図８】図３のブレードユニットのハウジングの、図６の８〜８で取った垂直断面図。
【図９】図３のブレードユニットの一部分の、図６の９〜９で取った垂直断面図。
【図１０】図３のブレードユニットの一部分の、図６の１０〜１０で取った垂直断面図。
【図１１】ブレードを取り外した図３のブレードユニットの斜視図。
【図１２】図３のブレードユニットのハウジングの後部の斜視図。
【図１３】刈り込みブレードを取り外した、刈り込み集合体の他の実施形態のブレードキャリア構成要素の斜視図。
【図１４】剃毛するために皮膚にあてがわれた図１のカミソリを示している。
【図１５】図１４に示される配向から９０°回転した図１のカミソリを示している。
【発明を実施するための形態】
【００１１】
本発明の他の利点及び特徴は、特定の実施形態の次の説明及び請求項から明白である。
【００１２】
図１及び図２に関し、剃毛カミソリ１０は、使い捨てカートリッジ１２及びハンドル１４を含む。カートリッジ１２は、ハンドル１４に接続する接続部材１８と、旋回可能に接続部材１８に接続したブレードユニット１６とを備える。ブレードユニット１６は、プラスチックのハウジング２０と、ハウジング２０の前側の主ガード２２と、ハウジング２０の後部の、つるつるのストリップ２６を有するキャップ２４と、主ガード２２と主キャップ２４との間の５枚の細長いブレード２８と、クリップ３２でハウジング２０の後部に取り付けられる刈り込みブレード集合体３０とを含み、クリップ３２はまた、ハウジング２０上のブレード２８も保持する。
【００１３】
図３に関し、刈り込みブレード集合体３０は、ハウジング２０の後部に固定され、またブレードキャリア５０２と、その上に取り付けた刈り込みブレード５０４とを含む。ブレードキャリア５０２は、切断し、成形した厚さ０．０２８ｃｍ（０．０１１インチ）のステンレス鋼の薄板金から作製されて、ハウジング２０に取り付けるための構造体をもたらし、刈り込みブレード５０４を支持し、また刈り込みガード及び刈り込みキャップ面を画定する。
【００１４】
図３〜図９に関し、ブレードキャリア５０２は、後部壁５０６と、後部壁５０６の最上部から、２つの末端部で前向きに延びるために曲がった上部つまみ５０８、５１０と、後部壁５０６の底部で後部壁５０６の長さに沿った、前向きに延びるために曲がった下側壁５１２と、横方向の２つの側部分５１４、５１６とを有し、その側部分の各々は、後部壁５０６の末端部で各側から前向きに延びるために曲がった横方向のつまみ５１８と、下側壁５１２の各末端部から上向きに延びるために曲がった垂直なつまみ５２０とから作製される。
【００１５】
後部壁５０６の中央部分は、その下側部分で開放され、後部壁５０６の下部端面５２６と、下側壁５１２から上向きに延びる刈り込みガード５２８との間に位置する間隙５２２をもたらす。２つの整列面５３０は、端面５２６の２つの末端部で、端面５２６の底部から正確な距離に位置する。刈り込みブレード５０４は、刈り込みブレード５０４の刃先５３６が、整列面５３０と整列して、１３のスポット溶接５３４によって後部壁５０６の内面５３２に溶接される。ユーザの皮膚と接触する、間隙５２４の周囲の縁部の全てに丸みが付けられて、０．２ｍｍの曲率半径をもたらすので、ユーザがこれら縁部を感じることはない。
【００１６】
図３、図５〜図１０に関し、間隙５２２は、刈り込みブレード５０４の刃先５３６を露出している。おそらく図９で最良に見られるように、後部壁５０６及びその下部端面５２６により、刈り込みブレード５０４のための刈り込みキャップ５３５と、ブレード５０４の刃先５３６とがもたらされ、また刈り込みブレード５０４の露出度が画定される。図３及び図１０に関し、２つの末端部から間隔を空けて離れた２つの皮膚保護突出部５３７は、刈り込み刃先５３６から刈り込みガード５２８までの接線の、後の空間の中へ伸びて、ユーザの皮膚が、刈り込み刃先５３６と刈り込みガード５２８との間の空間の中に膨らみ得る量を制限する。
【００１７】
図４及び図６に関し、上部側つまみ５０８及び５１０は、上溝５３８を有し、下側壁５１２は、刈り込みブレード集合体３０をハウジング２０に固定するために使用されるクリップ３０を受容するための、整列した溝５４０を有する。図３及び図６に関し、下側壁５１２はまた、ハウジング２０上の突出部５４４と噛み合うための凹部５４２も有し、ハウジング２０上の適切な位置で集合体３０を整列し、保持するのを容易にする。
【００１８】
図３、図６、図８、図９、図１１、図１２に関し、下側壁はまた、ハウジング２０内の４つの凹んだ屑除去通路５４８と整列した４つの屑除去溝５４６も有し、剃毛中に刃先５３６の後及び下の領域から剃毛屑を除去するのを可能にする。
【００１９】
製造時に、ブレードキャリア５０６は、薄板金から切断され、成形される。次に、自動化された配置部材で、刃先５３６を整列面５３０と整列させて、刈り込みブレード５０４が、内面５３２に配置され、次に、刈り込み刃先５６が、刈り込みガード５２８及び刈り込みキャップ５３４に関する正確な位置で、スポット溶接５３４で内面５３２に固定される。次に、刈り込み集合体３０をハウジング２０の後部の上で前向きに滑らせて、下側壁５１２上の凹部５４２をハウジング２０上の突出部５４４と整列させることにより、集合体３０は、ハウジング２０の後部に配置される。同時に、集合体３０がハウジング２０の後部で前向きに移動するとき、ハウジング２０（図８）上の上部圧縮隆起部５５２及び下部圧縮隆起部５５４は、上部つまみ５０８、５１０と下側壁５１２との間で加えられる圧縮によって変形する。次に、集合体３０は、クリップ３２でハウジング２０に固定され、クリップ３２は、ブレードキャリア５０６上の上溝５３８及び下溝５４０と、ハウジング２０を通る整列した溝５５０とを通過する。
【００２０】
他の方法では剃毛するのが困難な位置の毛を剃毛するとき、使用時に剃毛者は、親指が主ガード２２に近い側の指パッド７２６（図１４及び図１５）上にあるように、通常把持される位置からハンドル１４を１８０°回転させ、また例えば、もみ上げの付け根のなめらかな境目、口ひげ若しくはあごひげの境目、又は剃毛者の鼻の下として所望される位置で、刈り込みブレード５０４を、刈り込まれる毛の境目と整列させて、剃毛される皮膚領域に向かってブレードユニットの後部を移動させる。ブレードユニット１６は、接続部材１８に関して停止位置で静止状態で位置し、故に、ユーザが、ブレードユニット１６の後部及び刃先５３６を皮膚に押し付け、次にそれを皮膚の上で横方向に移動させて毛を刈り込むとき、ブレードユニット１６は旋回しない。刈り込み中、刃先５３６の後方の領域に向かった切断した毛及び他の剃毛屑は、刈り込み中、ハウジング２０内の屑除去通路５４８と、下側壁内の整列した屑除去溝５４６とを通過して、全領域と、屑除去通路及び溝は、例えば、剃毛行程又は刈り込む行程の中で、水中ですすぐ間に容易にきれいになる。切断した毛及び剃毛屑はまた、通路５４８の後の、下側壁５１２の上の通路５４９も通過できる。
【００２１】
ブレードユニットの後部壁５０６に関する刈り込みブレード５０４の刃先５３６の凹んだ位置は、カートリッジ１２及びカミソリ１０の取り扱い中に、ユーザの皮膚が切れるのを防止する。剃毛カミソリブレードユニットのハウジングに取り付けた共通の集合体上に、刈り込みブレード及び刈り込みガードを含むことにより、刈り込みブレードに関する刈り込みガードの正確な位置決めが容易になり、正確な刈り込みブレードの接線角度及び長さがもたらされる。
【００２２】
図１３に関し、もう１つのブレード支持体６００は、間隔を空けた部分６０４を有する櫛形ガード６０２を含んで、剃毛屑の除去を容易にし、もみ上げ及び他のより長い毛の刈り込みを容易にし、また製造工程におけるガードの成形中に、正確に位置するガード面が容易にもたらされる。ブレード支持体６００はまた、すすぎ開口部６０６も有し、刈り込みブレード５０４とハウジング２０（図９参照）との間に捕捉された毛の除去を可能にする。この実施形態では、ハウジング２０とブレードとの間の間隔は、図１０に示されるよりも大きく作製されて、切断した毛及び剃毛屑が容易に除去される。
【００２３】
図１４及び図１５に関し、ハンドル１４は、主ブレード２８と同じ側の凹んだ末端部に、１つの緩やかな湾曲部７２０を備える。ハンドル１４は、２つの部分７２２、７２４に分かれて、それらの間に空の領域がもたらされ、湾曲部７２０の凹んだ側に位置する指パッド７２６への接近がもたらされる。主ブレード及び指パッド７２６と同じ側の緩やかな湾曲部７２０と、分かれたハンドルによってもたらされる、パッド７２６への接近とにより、ユーザは、もみ上げ、他のほおひげ、又はユーザの皮膚７３０上の毛を刈り込むとき、図１４に示される角７２８に位置する刈り込みブレード５０４と並んで、また真下に、親指又は指を配置するのが可能になる。指パッド７２６は、エラストマー材から作製され、また突出部を有して、良好な係合をもたらす。部分７２２、７２４の内側面７３２、７３４は、浮き上がって、指パッド７２６への接近がもたらされる。
【００２４】
そのような剃毛カミソリでは、主ガード２２、主ブレード２８、及び主キャップ２４が及ぶ皮膚接触領域は、比較的大きいことがあり得るものの、刈り込みガード５２８、刈り込みブレード５０４、及びブレードユニット１６の後部の刈り込みキャップ５３５が及ぶ皮膚接触領域は、実質的により小さいが、それにもかかわらず、そこに隣接する突き出た顔の特徴によって圧迫された皮膚領域を剃毛するために、ブレードユニットを安全に使用することできる。このように、主ガード２２と主キャップ２４との間で、それら接する平面上で測定される距離は、刈り込みガード５２８と刈り込みキャップ５３５との間で、それらに接する平面上で測定される距離よりも長い。ブレードユニット１６はまた、すすぎ水の流通のための通路も有して、刈り込みブレード５０４の下面から石鹸及び剃毛屑を有効に除去するのを可能にするので、刈り込みブレード５０４の性能は、ブレードの下面上の空間の詰まりによって損なわれない。更にその上、通路は、底面で開放しているので、剃毛屑は、上面から離れて向き、その結果、切断した毛が、主キャップ２４のつるつるのストリップ２６の面などの、最上部の皮膚接触面に貼り付いて汚すことがない。
【００２５】
本発明の他の実施形態は、添付の請求項の範囲にある。例えば、薄板金のブレード支持体及び取り付けたブレードの形体は、他の毛切断の用途で使用でき、ブレード支持体は、ブレードのために正確に配置されたガード及び／又はキャップを画定する。同様に、刈り込みキャップは、剃毛を補助するストリップ、例えば、つるつるのストリップを備えることができる。
【図１】
2011104392.tif 000003
【図２】
2011104392.tif 000004
【図３】
2011104392.tif 000005
【図４】
2011104392.tif 000006
【図５】
2011104392.tif 000007
【図６】
2011104392.tif 000008
【図７】
2011104392.tif 000009
【図８】
2011104392.tif 000010
【図９】
2011104392.tif 000011
【図１０】
2011104392.tif 000012
【図１１】
2011104392.tif 000013
【図１２】
2011104392.tif 000014
【図１３】
2011104392.tif 000015
【図１４】
2011104392.tif 000016
【図１５】
2011104392.tif 000017
【手続補正書】
【提出日】平成23年2月1日(2011.2.1)
【手続補正２】
【補正対象書類名】特許請求の範囲
【補正対象項目名】全文
【補正方法】変更
【補正の内容】
【特許請求の範囲】
【請求項１】
一方の面に１枚以上の主剃毛ブレードを有するハウジングと、
前記ハウジングにおける前記主剃毛ブレードが設けられた面とは反対側の面の後部に取り付けられる刈り込みブレード集合体であって、刈り込みブレードおよびこの刈り込みブレードを支持するブレード支持体を有する刈り込みブレード集合体と、
を備え、
前記ブレード支持体は、間隔を空けたガード部分を含み前記ハウジングの前記後部に配置される刈り込み櫛形ガードを有する、剃毛カミソリブレードユニット。
【請求項２】
前記刈り込み櫛形ガードが、切断されて成形された薄板金から作製される、請求項１に記載の剃毛カミソリブレードユニット。
【請求項３】
前記ユニットが、前記刈り込みブレードの後方の、前記刈り込みブレードと前記ハウジングとの間の開放領域を有し、また前記ユニットが、前記開放領域から上向きに延びる屑除去溝を有する、請求項１に記載の剃毛カミソリブレードユニット。
【請求項４】
前記ハウジングがプラスチックから作製され、また前記ブレード支持体が金属から作製される、請求項１に記載の剃毛カミソリブレードユニット。
【請求項５】
前記ブレード支持体が内面を有し、また前記刈り込みブレードが前記内面に取り付けられる、請求項４に記載の剃毛カミソリブレードユニット。
【請求項６】
前記刈り込みブレードが前記内面に溶接される、請求項５に記載の剃毛カミソリブレードユニット。
【請求項７】
前記ブレード支持体が整列面を有し、その面で前記刈り込みブレードの刃先が整列される、請求項５に記載の剃毛カミソリブレードユニット。
【請求項８】
前記ハウジングの前記後部が、剃毛の補助を付与するストリップを含む刈り込みキャップを有する、請求項１に記載の剃毛カミソリブレードユニット。
【請求項９】
前記主剃毛ブレードが３枚以上である、請求項１に記載の剃毛カミソリブレードユニット。
【手続補正３】
【補正対象書類名】図面
【補正対象項目名】全図
【補正方法】変更
【補正の内容】
【図１】
2011104392.tif 000018
【図２】
2011104392.tif 000019
【図３】
2011104392.tif 000020
【図４】
2011104392.tif 000021
【図５】
2011104392.tif 000022
【図６】
2011104392.tif 000023
【図７】
2011104392.tif 000024
【図８】
2011104392.tif 000025
【図９】
2011104392.tif 000026
【図１０】
2011104392.tif 000027
【図１１】
2011104392.tif 000028
【図１２】
2011104392.tif 000029
【図１３】
2011104392.tif 000030
【図１４】
2011104392.tif 000031
【図１５】
2011104392.tif 000032